(57)【特許請求の範囲】
【請求項１】
物理チャンネルに多重化した複数の仮想チャンネルを形成し、この仮想チャンネル毎の番組および仮想チャンネルの属性を示すチャンネル情報を送信しているディジタル放送を受信する受信手段と、
上記受信手段で受信する上記ディジタル放送の物理チャンネルの切り替え、およびこの物理チャンネルに形成されている仮想チャンネルの切り替えを行う選局手段と、
上記選局手段で物理チャンネルを切替えながら、物理チャンネル毎に番組が放送されているかどうかを検出し、番組が放送されている物理チャンネルについては上記チャンネル情報を取得し、物理チャンネルと仮想チャンネルとを対応づけてチャンネルマップに登録するオートメモ手段と、
上記オートメモ手段の実行を指示するオートメモ実行指示手段と、
指定された仮想チャンネルを記憶するチャンネル記憶手段と、を備えた受信装置において、
上記オートメモ手段は、番組が放送されている物理チャンネルについて取得した上記チャンネル情報に別の物理チャンネルが設定されていれば、この別の物理チャンネルについては番組が放送されているかどうかの検出を行うことなく上記チャンネルマップに物理チャンネルのみ登録し、
また、上記チャンネル記憶手段に記憶されている仮想チャンネルについては上記チャンネルマップへの登録を禁止する手段であり、
上記選局手段は、通常時、上記チャンネルマップに登録されていない物理チャンネルおよび仮想チャンネルの選局を禁止する手段である受信装置。
【請求項２】
物理チャンネルに多重化した複数の仮想チャンネルを形成し、この仮想チャンネル毎の番組および仮想チャンネルの属性を示すチャンネル情報を送信しているディジタル放送を受信する受信手段と、
上記受信手段で受信する上記ディジタル放送の物理チャンネルの切り替え、およびこの物理チャンネルに形成されている仮想チャンネルの切り替えを行う選局手段と、
上記選局手段で物理チャンネルを切替えながら、物理チャンネル毎に番組が放送されているかどうかを検出し、番組が放送されている物理チャンネルについては上記チャンネル情報を取得し、物理チャンネルと仮想チャンネルとを対応づけてチャンネルマップに登録するオートメモ手段と、
上記オートメモ手段の実行を指示するオートメモ実行指示手段と、
指定された仮想チャンネルを記憶するチャンネル記憶手段と、を備えた受信装置において、
上記オートメモ手段は、番組が放送されている物理チャンネルについて取得した上記チャンネル情報に別の物理チャンネルが設定されていれば、この別の物理チャンネルについては番組が放送されているかどうかの検出を行うことなく上記チャンネルマップに物理チャンネルのみ登録する手段であり、
上記選局手段は、通常時、上記チャンネルマップに登録されていない物理チャンネルおよび上記チャンネル記憶手段に記憶されている仮想チャンネルの選局を禁止する受信装置。
【請求項３】
ディジタル放送を受信する受信手段と、
上記受信手段で受信する上記ディジタル放送のチャンネルを切替える選局手段と、
上記選局手段でチャンネルを切替えながら、チャンネル毎に番組が放送されているかどうかを検出し、番組が放送されているチャンネルをチャンネルマップに登録するオートメモ手段と、を備え、
上記ディジタル放送は、そのチャンネルについて多重化した仮想チャンネルの属性を示すチャンネル情報を送信しており、
上記オートメモ手段は、番組が放送されているチャンネルについて上記チャンネル情報を取得し、このチャンネル情報に別のチャンネルが設定されていれば、この別のチャンネルについては番組が放送されているかどうかの検出を行うことなく、上記チャンネルマップに登録する受信装置。
【請求項４】
上記オートメモ手段の実行を指示するオートメモ実行指示手段を備えた請求項３に記載の受信装置。
【請求項５】
上記選局手段は、通常時、上記チャンネルマップに登録されていないチャンネルの選局を禁止する請求項３または４に記載の受信装置。
【請求項６】
指定されたチャンネルを記憶するチャンネル記憶手段を備え、
上記オートメモ手段は、上記チャンネル記憶手段に記憶されているチャンネルについては、番組が放送されていても上記チャンネルマップへの登録を禁止する請求項３〜５のいずれかに記載の受信装置。
【請求項７】
指定されたチャンネルを記憶するチャンネル記憶手段を備え、
上記選局手段は、通常時、上記チャンネル記憶手段に記憶しているチャンネルの選局を禁止する請求項３〜５のいずれかに記載の受信装置。
【発明の詳細な説明】
【０００１】
【発明の属する技術分野】
この発明は、ディジタル放送、特にＡｄｖａｎｃｅｄ  ＴｅｌｅｖｉｓｉｏｎＳｔａｎｄａｒｄｓ  Ｃｏｍｍｉｔｅｅ方式（ＡＴＳＣ方式）によるディジタル放送を受信するテレビ受像機等に適用される受信装置に関する。
【０００２】
【従来の技術】
従来、放送されている番組を受信する装置としてテレビ受像機があった。周知のように、番組の放送に使用する搬送波周波数は放送局毎に割り当てられている。テレビ受像機は、チャンネルを切り替えることで、受信する番組が選択できる。
【０００３】
ところで、テレビ受像機において受信可能なチャンネルの中に番組が放送されていないチャンネルもある。番組が放送されていないチャンネルが選局できるテレビ受像機では、ユーザの選局操作が煩雑になる。そこで、番組が放送されていないチャンネルについては、番組の選択時に選局できないようにすることが提案されている。
【０００４】
具体的には、受信可能な全てのチャンネルについて、予め番組が放送されているかどうかを検出し、番組が放送されているチャンネルのみ登録したチャンネルマップを作成し記憶する機能（ここでは、オートメモ機能と言う。）を設け、通常時にはこのチャンネルマップに登録されていないチャンネルの選局を禁止するようにした、テレビ受像機が提案されている。
【０００５】
【発明が解決しようとする課題】
しかしながら、上記オートメモ機能でチャンネルマップを作成するとき、受信可能な全てのチャンネルについて番組が放送されているかどうかを検出しなければならず、このチャンネルマップの作成に長い時間を要していた。特に、最近放送の多チャンネル化にともない、装置本体で受信できるチャンネル数が増加しており、オートメモ機能の実行にかかる時間の短縮が要求されている。
【０００６】
なお、特開平６−２０４８０４号において、指定されたチャンネルについてのみ選局動作を行う装置が提案されている。ここで言う、選局動作とは受信部における受信状態を最良の状態に調整する動作である。この技術は、上記オートメモ機能の実行にかかる時間を短縮するものではない。
【０００７】
また、Ａｄｖａｎｃｅｄ  Ｔｅｌｅｖｉｓｉｏｎ  Ｓｔａｎｄａｒｄｓ  Ｃｏｍｍｉｔｅｅ方式（ＡＴＳＣ方式）等によるディジタル放送は、１つのチャンネルで複数の番組を放送することができる。視聴できる番組数が増加すると、ユーザの番組選択の範囲がひろがるが、ユーザが最初から視聴を望まない番組（チャンネル）も存在するようになる。番組数が増加すると、視聴する番組の選局操作が煩雑になる。そこで、ユーザが最初から視聴を望まないチャンネルの選局を禁止することが提案されている（特開平５−２７５９７７号、特公平６−８１０６１号参照）。
【０００８】
この発明の目的は、オートメモ機能の実行にかかる時間を短縮した受信装置を提供することにある。
【０００９】
また、この発明は、視聴する番組を選択する際の選局操作が煩雑になるのを抑えた受信装置を提供することを目的とする。
【００１０】
【課題を解決するための手段】
この発明の受信装置は、上記課題を解決するために以下の構成を備えている。
【００１１】
（１）ディジタル放送を受信する受信手段と、
上記受信手段で受信する上記ディジタル放送のチャンネルを切替える選局手段と、
上記選局手段でチャンネルを切替えながら、チャンネル毎に番組が放送されているかどうかを検出し、番組が放送されているチャンネルをチャンネルマップに登録するオートメモ手段と、を備え、
上記ディジタル放送は、そのチャンネルについて多重化した仮想チャンネルの属性を示すチャンネル情報を送信しており、
上記オートメモ手段は、番組が放送されているチャンネルについて上記チャンネル情報を取得し、このチャンネル情報に別のチャンネルが設定されていれば、この別のチャンネルについては番組が放送されているかどうかの検出を行うことなく、上記チャンネルマップに登録する。
【００１２】
上記構成では、オートメモ手段により番組が放送されているチャンネルがチャンネルマップに登録される。ＡＴＳＣ方式（Ａｄｖａｎｃｅｄ  Ｔｅｌｅｖｉｓｉｏｎ  Ｓｔａｎｄａｒｄｓ  Ｃｏｍｍｉｔｅｅ方式）等のディジタル放送では、物理チャンネルに多重化した複数の仮想チャンネルを形成し、この仮想チャンネル毎の番組および仮想チャンネルの属性を示すチャンネル情報（ＶＣＴ（Ｖｉｒｔｕａｌ  Ｃｈａｎｎｅｌ  Ｔａｂｌｅ））を送信している。上記オートメモ手段は、番組が放送されていることを検出したチャンネル（物理チャンネル）について上記チャンネル情報を取得し、このチャンネル情報に別のチャンネル（別の物理チャンネル）の情報も含まれていれば、この別のチャンネルもチャンネルマップに登録する。このとき、チャンネル情報を取得したチャンネル（物理チャンネル）については、チャンネルマップに仮想チャンネルを対応づけて登録するようにしておけばよい。また、この別のチャンネルについては番組が放送されているかどうかを検出する処理を行わない。
【００１３】
したがって、番組が放送されているかどうかを検出する処理を行うチャンネル数が低減でき、結果的にオートメモ手段の実行にかかる時間、すなわちチャンネルマップの作成にかかる時間、が短縮できる。
【００１４】
（２）上記オートメモ手段の実行を指示するオートメモ実行指示手段を備えている。
【００１５】
この構成では、ユーザが任意のタイミングで上記オートメモ手段を実行することができる。したがって、引っ越し等で受信できる放送局が変わったとき等、必要に応じてオートメモ手段を実行することができる。
【００１６】
（３）上記選局手段は、通常時、上記チャンネルマップに登録されていないチャンネルの選局を禁止する。
【００１７】
この構成では、通常時、番組が放送されていないチャンネル（物理チャンネル）の選局が禁止されるので、ユーザの選局操作が煩雑になるのを抑えることができる。
【００１８】
（４）指定されたチャンネルを記憶するチャンネル記憶手段を備え、
上記オートメモ手段は、上記チャンネル記憶手段に記憶されているチャンネルについては、番組が放送されていても上記チャンネルマップへの登録を禁止する。
【００１９】
（５）指定されたチャンネルを記憶するチャンネル記憶手段を備え、
上記選局手段は、通常時、上記チャンネル記憶手段に記憶しているチャンネルの選局を禁止する。
【００２０】
上記（４）、（５）の構成ではチャンネル記憶手段に予めユーザが視聴を望まないチャンネルを記憶させておけば、通常時の選局において視聴を望まないチャンネルが選局されることがない。したがって、ユーザの選局操作が煩雑になるのを抑えることができる。
【００２１】
なお、チャンネル記憶手段に記憶させるチャンネルは、仮想チャンネルであってもよいし、物理チャンネルであってもよい。
【００２２】
【発明の実施の形態】
図１は、この発明の実施形態であるテレビ受像機の構成を示すブロック図である。この実施形態のテレビ受像機１は、ＡＴＳＣ（Ａｄｖａｎｃｅｄ  Ｔｅｌｅｖｉｓｉｏｎ  Ｓｔａｎｄａｒｄｓ  Ｃｏｍｍｉｔｅｅ）方式によるディジタル放送の受信装置である。制御部２は、テレビ受像機１本体の動作を制御する。受信部３は、アンテナ１０で受信した複数のディジタル放送の中から選択されているチャンネル（搬送波周波数）の信号を取り出し、映像信号および音声信号に復号する。表示部４は、受信部３で復号された映像信号に基づく映像を表示する。音声出力部５は、受信部３で復号された音声信号に基づく音声を出力する。操作部６は、チャンネルの切り替えや、後述するオートメモ機能を実行するとき等に操作する複数の操作キーを有する。
【００２３】
制御部２には、以下に示すチャンネルマップ１１および視聴制限チャンネルテーブル１２を記憶する記憶部（ＲＡＭ）が設けられている。図２は、チャンネルマップを示す図である。ＡＴＳＣ方式では、１つのチャンネルで複数の番組を放送することができる。このため、物理的なチャンネルを示す物理チャンネルと、多重化した仮想チャンネルを示す番組チャンネルの２つが存在する。番組の選択は番組チャンネルで行われる。チャンネルマップ１１には、上記物理チャンネルと番組チャンネルとを対応づけて登録される。図２に示す例では物理チャンネル１では、３つの番組チャンネル１−１、１−２、１−３があることを示している。すなわち、物理チャンネル１では３つの番組が放送されている。
【００２４】
また、視聴制限チャンネルテーブル１２には、ユーザが予め設定した番組チャンネルが登録されている。この視聴制限チャンネルテーブル１２への番組チャンネルの登録、または登録されている番組チャンネルの削除については、操作部６における所定の入力操作で行える。ユーザは、自分が視聴を望まない番組を放送している番組チャンネルを視聴制限テーブル１２に登録する。図３に示す例では、番組チャンネル１０−１、３５−１、３５−２、４１−１・・・が視聴を望まない番組を放送している番組チャンネルとして登録されている。
【００２５】
受信部３には、アンテナ１０で受信したディジタル放送の中から選択されている物理チャンネルに応じた信号、中間周波信号（ＩＦ信号）、を取り出して出力するチューナー、該チューナで取り出したＩＦ信号を所定の周波数帯域の信号に漏波するＳＡＷフィルタ、ＳＡＷフィルタで漏波したＩＦ信号をＡ／Ｄ変換し復調する復調部、復調部で復調された信号を復号する復号部等が設けられている。なお、復号部は選択されている番組チャンネルで放送されている番組のみ復号する。
【００２６】
操作部６は、リモコン装置（不図示）から赤外線や電波で送信されてきた制御コードを受信するリモコン受信部を有している。操作部６に設けられているキーの操作や、リモコン装置の操作で、番組チャンネルの選局や、オートメモ機能の実行等が行える。
【００２７】
この実施形態のテレビ受像機１は、ユーザによる番組の選択時（この発明で言う通常時）、図２に示したチャンネルマップ１１や、図３に示した視聴制限チャンネルテーブル１２を利用して、番組が放送されていないチャンネルや、視聴制限がかけれらているチャンネルの選局を禁止する。これにより、選局時にユーザにとって無駄なチャンネルが選局されることがなく、選局操作が煩雑になるのが抑えられる。
【００２８】
次に、この実施形態のテレビ受像機１におけるオートメモ機能について説明する。オートメモ機能とは、上述のチャンネルマップ１１を作成する機能であり、この機能が実行される毎にチャンネルマップ１１が更新される。テレビ受像機１は、操作部６においてこの機能の実行を指示する操作がなされたとき、またはリモコンから実行を指示する制御コードが送信されてきたときにオートメモ機能を実行する。
【００２９】
図４は、オートメモ機能による処理、すなわちチャンネルマップを更新する処理、を示すフローチャートである。テレビ受像機１は、物理チャンネル（Ｎ）を初期値である１チャンネルに設定し（ｓ１）、チャンネルマップ１１をクリアする（ｓ２）。そして、テレビ受像機１は設定した物理チャンネルがチャンネルマップ１１に登録されているかどうかを判定する（ｓ３）。
【００３０】
チャンネルマップ１１に未登録であれば、受信部３において設定した物理チャンネルを受信して、この物理チャンネルで番組が放送されているかどうかを判定する（ｓ４）。番組が放送されていなければ後述するｓ９にジャンプする。一方、番組が放送されていれば、この物理チャンネルで送信されているＶＣＴ（Ｖｉｒｔｕａｌ  Ｃｈａｎｎｅｌ  Ｔａｂｌｅ）を取り出す（ｓ５）。
【００３１】
上述したように、ＡＴＳＣ方式では１つの物理チャンネルで複数の番組を放送することができるように、多重化した仮想チャンネル（番組チャンネル）を設けることができる。ＶＣＴとは、この仮想チャンネルの属性を示す情報が登録されたテーブルである。具体的には、図５に示すように番組チャンネルと物理チャンネルと対応づけたテーブルである。図５（Ａ）、（Ｂ）に示すように、ＶＣＴには設定されている物理チャンネルで放送されている全ての番組チャンネルを示す情報が存在している。また、図５（Ｂ）に示すように、別の物理チャンネルに対応する番組チャンネルの情報が存在していることもある。
【００３２】
テレビ受像機１は、設定されている物理チャンネルについて、ＶＣＴから得られた番組チャンネルを対応づけてチャンネルマップ１１に登録する（ｓ６）。これにより、設定されている物理チャンネルと、この物理チャンネルにおける番組チャンネルとを対応づけた情報がチャンネルマップ１１に登録される。
【００３３】
さらに、テレビ受像機１はＶＣＴに別の物理チャンネルを示す情報があったかどうかを判定し（ｓ７）、別の物理チャンネルを示す情報があった場合にはこの物理チャンネルをチャンネルマップ１１に登録する（ｓ８）。なお、ｓ８では物理チャンネルに対応する番組チャンネルについては登録されない。その理由は、この物理チャンネルに対応する全ての番組チャンネルがわからないからである。しかし、この物理チャンネルには少なくとも１つの番組チャンネルが存在している。したがって、この物理チャンネルで番組が放送されていることは明らかであり、ｓ８でチャンネルマップ１１に物理チャンネルのみを登録することについては特に問題にならない。
【００３４】
ｓ９では、設定されている物理チャンネルが受信可能な最大チャンネル（Ｎｍａｘ）であるかどうかを判定し、最大チャンネルでなければ、受信チャンネルＮをインクリメントし（Ｎ＝Ｎ＋１）（ｓ１０）、ｓ３に戻って上記処理を繰り返す。ｓ９で、最大チャンネルであると判定すると、本処理を終了する。
【００３５】
このように、この実施形態のテレビ受像機１は、ｓ５で受信したＶＣＴに選択されている物理チャンネルだけでなく、別の物理チャンネルについての情報が存在していれば、この別の物理チャンネルをｓ８でチャンネルマップ１１に登録している。また、ｓ３でチャンネルマップ１１に登録されている物理チャンネルについては、ｓ４〜ｓ８の処理を行わない。したがって、ｓ８でチャンネルマップ１１に登録された物理チャンネルに対する処理にかかる時間が低減され、結果的にオートメモ機能の実行時間、すなわちチャンネルマップ１１の作成にかかる時間、が短縮できる。
【００３６】
なお、上述したようにｓ８でチャンネルマップ１１に登録された物理チャンネルについては、番組チャンネルが登録されていないが、以下に示す通常時の選局動作時に番組チャンネルを登録するので問題が起きることはない。
【００３７】
図６は、選局動作時の動作を示すフローチャートである。テレビ受像機１は、選局された番組チャンネル（入力された番組チャンネル）に対応する物理チャンネルがチャンネルマップ１１に登録されているかどうかを判定する（ｓ１１）。チャンネルマップ１１に物理チャンネルが登録されていないと、選局されたチャンネルでは番組が放送されていない。したがって、ユーザの選局ミス（入力ミス）であると判断し、本処理を終了する。
【００３８】
チャンネルマップ１１に物理チャンネルが登録されていると、この物理チャンネルに対応づけて１つ以上の番組チャンネルが登録されているかどうかを判定する（ｓ１２）。番組チャンネルが全く登録されていなければ、この物理チャンネルで送信されているＶＣＴを取り出し（ｓ１３）、この物理チャンネルに対応する全ての番組チャンネルをチャンネルマップ１１に登録する（ｓ１４）。
【００３９】
これにより、上記ｓ８でチャンネルマップ１１に登録された物理チャンネルについても番組チャンネルが登録される。
【００４０】
次に、テレビ受像機１は、選局された番組チャンネルで番組が放送されているかどうかを判定する（ｓ１５）。ｓ１５では、選局された番組チャンネルが、チャンネルマップ１１に登録されているかどうかにより判定できる。番組が放送されていなければ、ユーザの選局ミス（入力ミス）であると判断し、本処理を終了する。番組が放送されていると、選局された番組チャンネルが視聴制限されているチャンネルであるかどうかを判定する（ｓ１６）。この判定は、選局された番組チャンネルが視聴制限チャンネルテーブル１２に登録されているかどうかにより判定される。視聴制限されている番組チャンネルであれば、ユーザの選局ミス（入力ミス）であると判断し本処理を終了する。一方、視聴制限されていない番組チャンネルであれば、この番組チャンネルで放送されている番組を受信する（ｓ１７）。
【００４１】
このように、この実施形態のテレビ受像機１は選局された番組チャンネルが番組が放送されていないチャンネルであった場合や、ユーザが事前に視聴を禁止しているチャンネルであった場合、受信処理を行わない。したがって、ユーザが視聴する番組を選局する際に、無駄な番組チャンネルに対する受信処理が実行されないので、ユーザの選局操作が煩雑になるのを抑えることができる。
【００４２】
上記実施形態のテレビ受像機１では、チャンネルマップ１１に番組が放送されている全ての番組チャンネルを登録するとしたが、視聴制限チャンネルテーブル１２に登録されている番組チャンネルについてはチャンネルマップ１１に登録しないようにしてもよい。この場合には、図４に示した処理を図７に示す処理に変更すれば実現できる。図７では、図４と同じ処理については同じステップ番号（ｓ＊）を付している。
【００４３】
図７に示すように、図４におけるｓ６の処理を、ｓ２０に置き換えただけである。ｓ２０では、視聴制限チャンネルテーブル１２に登録されていない番組チャンネルのみチャンネルマップ１１に登録し、視聴制限チャンネルテーブル１２に登録されている番組チャンネルについてはチャンネルマップ１１に登録しない。
【００４４】
したがって、チャンネルマップ１１には番組の放送が行われていて、且つユーザによる視聴制限がかけられていない番組チャンネルが登録される。
【００４５】
また、このテレビ受像機１の選局動作を図８に示す。図６と同じ処理については同じステップ番号（ｓ＊）を付している。
【００４６】
図８は、図６におけるｓ１４をｓ３０に置き換えただけである。ｓ３０は、視聴制限チャンネルテーブル１２に登録されていない番組チャンネルのみチャンネルマップ１１に登録し、視聴制限チャンネルテーブル１２に登録されている番組チャンネルについてはチャンネルマップ１１に登録しないという、上記ｓ２０と同じ処理である。
【００４７】
なお、ｓ１５、ｓ１６の処理は、実際にはチャンネルマップ１１に選局された番組チャンネルが登録されているかどうかによる１回の判定で行える。
【００４８】
このようにしても、上記実施形態のテレビ受像機１と同様の効果を奏する。
【００４９】
なお、上述の実施形態では、視聴制限チャンネルテーブル１２には番組チャンネルが登録されるとしたが、物理チャンネルが登録されるようにしてもよい。この場合、登録された物理チャンネルにかかる全ての番組チャンネルの視聴制限が行える。
【００５０】
【発明の効果】
以上のように、この発明によれば、番組が放送されているチャンネルのみ登録したチャンネルマップの作成に要する時間を短縮することができる。
【００５１】
また、チャンネルマップを更新しても、ユーザが予め設定している視聴を制限したチャンネルが受信できるようになることもない。
【図面の簡単な説明】
【図１】この発明の実施形態であるテレビ受像機の構成を示すブロック図である。
【図２】この発明の実施形態であるテレビ受像機におけるチャンネルマップを示す図である。
【図３】この発明の実施形態であるテレビ受像機における視聴制限チャンネルテーブルを示す図である。
【図４】この発明の実施形態であるテレビ受像機におけるオートメモ機能にかかる処理を示すフローチャートである。
【図５】ＡＴＳＣ方式におけるＶＣＴを示す図である。
【図６】この発明の実施形態であるテレビ受像機における選局動作を示すフローチャートである。
【図７】この発明の別の実施形態であるテレビ受像機におけるオートメモ機能にかかる処理を示すフローチャートである。
【図８】この発明の別の実施形態であるテレビ受像機における選局動作を示すフローチャートである。
【符号の説明】
１−テレビ受像機
２−制御部
３−受信部
１１−チャンネルマップ
１２−視聴制限チャンネルテーブル
【図１】
0004631180.tif 000002
【図２】
0004631180.tif 000003
【図３】
0004631180.tif 000004
【図４】
0004631180.tif 000005
【図５】
0004631180.tif 000006
【図６】
0004631180.tif 000007
【図７】
0004631180.tif 000008
【図８】
0004631180.tif 000009